(57)【要約】      （修正有）【課題】  モアレ縞を表出させて美観上の効果を向上させ、さらに、モアレ縞を表出、消失、変化及び移動させて多種多様な変化を持たせて、より効果的に表示させると共に、これらの美観上の表示のために生じる生産上のコスト及び作業量を極力抑えたデザイン表示装置を提供する。【解決手段】  透明又は半透明で薄い形状を有し、片面に等間隔で並ぶ線状に凹部１ａと凸部１ｂとが交互に形成してある透明板１と、当該透明板１の内面に位置し等間隔で並ぶ線状に着色された表示体２とを有し、前記透明板１の凸凹１ｃと表示体２の縞２ａとの傾斜角が変更可能に配設されているので、初期状態にあっては透明板１の縞と表示体２の縞２ａとを傾斜させず、傾斜させないことによりモアレ縞が表れず、使用者の操作や機器の動作状態の変化等に連動させて、初期状態にあっては透明板１の縞と表示体２の縞２ａとを傾斜させることで、傾斜させることによりモアレ縞が表れる。【選択図】  図６
2005091887.tif 000002
【特許請求の範囲】
【請求項１】
透明又は半透明で薄い形状を有し、片面に等間隔で並ぶ線状に凹部と凸部とを交互に形成してある透明板と、当該透明板の内面に位置し等間隔で並ぶ線状に着色された表示体とを有し、前記透明板の凸凹と表示体の縞とが斜めに交差した状態で配設されていることを
特徴とするデザイン表示装置。
【請求項２】
透明又は半透明で薄い形状を有し、片面に等間隔で並ぶ線状に凹部と凸部とを交互に形成してある透明板と、当該透明板の内面に位置し等間隔で並ぶ線状に着色された表示体とを有し、前記透明板の凸凹と表示体の縞との傾斜角が変更可能に配設されていることを
特徴とするデザイン表示装置。
【請求項３】
前記請求項１または２に記載のデザイン表示装置において、
前記透明板が凹凸と垂直方向に移動可能に、及び／又は、前記表示体が縞と垂直方向に移動可能に配設されていることを
特徴とするデザイン表示装置。
【請求項４】
前記請求項２又は３に記載のデザイン表示装置において、
前記表示体及び／又は透明板が遊動可能に配設していることを
特徴とするデザイン表示装置。
【請求項５】
前記請求項１ないし４に記載のデザイン表示装置において、
前記表示体の縞が複数組に分かれ、それぞれの縞の組が異なる傾斜角であることを
特徴とするデザイン表示装置。
【請求項６】
前記請求項１ないし５に記載のデザイン表示装置において、
前記表示体の縞が複数組に分かれ、それぞれの縞の組が異なる縞間隔であることを
特徴とするデザイン表示装置。
【請求項７】
前記請求項１ないし６に記載のデザイン表示装置において、
前記透明板が乳白色であることを
特徴とするデザイン表示装置。
【請求項８】
前記請求項１ないし７に記載のデザイン表示装置において、
前記透明板が、表示体との対向面に凸凹を形成していることを
特徴とするデザイン表示装置。
【請求項９】
前記請求項１ないし８に記載のデザイン表示装置において、
ファンと、ファン駆動用のモータと、ヒータとを収容する筒状の本体ケースを備え、この本体ケースの外面に前記表示体、透明板が順に配置されていることを
特徴とするデザイン表示装置。
【発明の詳細な説明】
【技術分野】
【０００１】
本発明は、モアレ縞を表出させたり、モアレ縞を変化させたり、モアレ縞を移動したり、モアレ縞を消失させたりして表示形態を変更させ、本装置が適用された各種機器類の状態を示すと共に、使用者に美観上の快さを与えるデザイン表示装置に関する。特に、本デザイン変更装置は、ドライヤー、シェーバー、ヘアーブロッサー等の小型電気機器に適用することができ、さらにこれらの小型電気機器に限らず、マッサージ機等の大型電気機器にも適用でき、その適用範囲は幅広い。
【背景技術】
【０００２】
背景技術としては、特開２００２−１１６７２４号公報に開示されるものがあり、以下この背景技術について説明する。背景技術に係るデザイン表示装置は、図１３に示すごとく透視可能部１０４と隠蔽部１０５とが交互に形成してある縞模様状のマスク体１０２と、マスク体１０２の内面に配置されて、複数の異なる色彩が縞模様状に着色された表示体１０３とを備え、マスク体１０２と表示体１０３とがマスク体１０２の縞模様と交差する向きへ相対移動可能に設け、マスク体１０２と表示体１０３の少なくともいずれか一方を、他方に対して移動操作できるように構成されている。
【０００３】
この背景技術によれば、以下の作用・効果を得ることができる。始めは、マスク体１０２とその内面に配置した表示体１０３とは、マスク体１０２の透視可能部１０４に臨む表示体１０３の着色部のみが、透視可能部１０４を介して外部から見え、隠蔽部１０５に臨む表示体１０３の着色部は、隠蔽部１０５に遮られて外部から見えない状態になっている。この状態から、例えば表示体１０３をマスク体１０２に対して変位操作すると、それまで隠蔽部１０５に遮られていた着色部が透視可能部１０４へ徐々に露出する。その一方で、それまで透視可能部１０４に臨んでいた着色部は、徐々に隠蔽部１０５の内面へ移動し、やがて着色部の全体が隠蔽部１０５によって遮られてしまう。この状態変化をマスク体１０２の外面から見ると、ある色のみが見えていた状態から、異なる複数の色が混在して見える状態を経て、最初とは異なる別の色が見える状態へと見かけの状態が変化する。場合によっては、色状態が変化する間に、模様や着色部の見かけの形が変化する。このように、見かけの色や模様等の表示状態を変化させると、使用者等に強いインパクトをあたえて注意力を喚起し、あるいは興味を起こさせることができる。
【特許文献１】特開２００２−１１６７２４号公報
【発明の開示】
【発明が解決しようとする課題】
【０００４】
確かに、前記背景技術のデザイン表示装置は以上のように構成され、前記マスク体１０２と表示体１０３との構成により最初とは異なる別の色が見える状態へと見かけの状態が変化し、使用者等に強いインパクトをあたえて注意力を喚起し、あるいは興味を起こさせることができる。しかし、デザイン表示装置を、各種装置、例えば、ドライヤーに適用した場合には、マスク体１０２と表示体１０３との構成だけでなく、これらマスク体１０２と表示体１０３とを保護し、且つ、マスク体１０２と表示体の表示を妨げない、図１４に示すような透明な保護材となるケース１０６が必要となる。したがって、使用者等に対して強いインパクトを与えるために、マスク材１０２及び表示体１０３だけでなくケース１０６も必要となって、経済的な面だけ出なく、かかるデザイン表示装置を適用した各種装置を製造する場合にも手間がかかり、作業性が悪いという課題を有する。
【０００５】
なお、マスク体１０２が透視可能部及び遮蔽部を有し、表示体が縞模様を有しており、モアレ縞が表出しそうであるが、図１３の縞模様の縞間隔が大きすぎてモアレ縞が表出していない。さらに、前記背景技術を開示していた特開２００２−１１６７２４号公報には、モアレ縞を示す図面もなく、記載も発明の詳細な説明にもない。
【０００６】
本発明は前記課題を解決するためになされたもので、モアレ縞を表出させて美観上の効果を向上させ、さらに、単にモアレ縞を表出させるだけでなく、モアレ縞を表出、消失、変化及び移動させて多種多様な美観上の変化を持たせて、より効果的に表示させると共に、これらの美観上の表示のために生じる生産上のコスト及び作業量を極力抑えたデザイン表示装置を提供することを目的とする。
【課題を解決するための手段】
【０００７】
本発明に係るデザイン表示装置は、透明又は半透明で薄い形状を有し、片面に等間隔で並ぶ線状に凹部と凸部とを交互に形成してある透明板と、当該透明板の内面に位置し等間隔で並ぶ線状に着色された表示体とを有し、前記透明板の凸凹と表示体の縞とが斜めに交差した状態で配設されているものである。このように本発明においては、透明又は半透明で薄い形状を有し、片面に等間隔で並ぶ線状に凹部と凸部とを交互に形成してある透明板と、当該透明板の内面に位置し等間隔で並ぶ線状に着色された表示体とを有し、前記透明板の凸凹と表示体の縞とが斜めに交差した状態で配設されているので、透明板の凹部が表示体の縞を細い線に見せ、透明板の凸部が表示体の縞を太い線に見せ、すなわち、光透過強度の異なる縞が透明板にも形成されていることとなり、透明板の縞と表示体の縞からモアレ縞が表示され、使用者に単なる配色だけでは与えることができないインパクトの強い美観を与えることができ、また、透明板が保護ケースの役目も果たし、別途透明板の上に保護ケースを設ける必要がなく、生産性の面及び経済性の面からも好ましい。さらに、表示体３を紙に配色して形成した場合には、配色、縞間隔を変更するが容易にでき、設計変更に伴う費用を大幅に低減することができる。ここで、等間隔で並ぶ線状に凹部と凸部とを交互に形成するとは、凹部と凸部とを直線状に、略直線状に、曲線状、波線状、円弧状に形成されることを意味する。同様に、等間隔で並ぶ線状に着色された縞も、略直線状に、曲線状、波線状、円弧状に形成される縞を意味する。また、等間隔とあるが、間隔に若干の違いがあってもよい。
【０００８】
また、本発明に係るデザイン表示装置は、透明又は半透明で薄い形状を有し、片面に等間隔で並ぶ線状に凹部と凸部とを交互に形成してある透明板と、当該透明板の内面に位置し等間隔で並ぶ線状に着色された表示体とを有し、前記透明板の凸凹と表示体の縞との傾斜角が変更可能に配設されているものである。このように本発明においては、透明又は半透明で薄い形状を有し、片面に等間隔で並ぶ線状に凹部と凸部とを交互に形成してある透明板と、当該透明板の内面に位置し等間隔で並ぶ線状に着色された表示体とを有し、前記透明板の凸凹と表示体の縞との傾斜角が変更可能に配設されているので、初期状態にあっては透明板の縞と表示体の縞とを傾斜させず、傾斜させないことによりモアレ縞が表れず、使用者の操作や機器の動作状態の変化等に連動させて、初期状態にあっては透明板の縞と表示体の縞とを傾斜させることで、傾斜させることによりモアレ縞が表れ、使用者に対して強いインパクトの美観を与えると共に、使用者が一目見ただけで機器の動作状態を判別することができ利便性がよく、また、即座に判別可能ということは危険回避が迅速にできるという面で安全性に優れている。
【０００９】
また、本発明に係るデザイン表示装置は必要に応じて、前記透明板が凹凸と垂直方向に移動可能に、及び／又は、前記表示体が縞と垂直方向に移動可能に配設されているものである。このように本発明においては、前記透明板が凹凸と垂直方向に移動可能に、及び／又は、前記表示体が縞と垂直方向に移動可能に配設されているので、傾斜角度を変更するための移動ではなくて傾斜角度を維持したまま、表示体の縞又は透明板の縞の直線方向でない垂直方向に移動させると、モアレ縞の形状を維持したままモアレ縞が表示体の縞又は透明板の縞の直線方向に移動し、このモアレ縞の移動自体が使用者に心地よい印象を与え、機器に適用して動作状態の変更に応じてモアレ縞の移動させることにより使用者が容易に機器の動作状態の変更が行われていることが判別することができる。さらに、前記透明板の凸凹と表示体の縞との傾斜角が変更によるモアレ縞の変化と共に、モアレ縞の移動を組み合わせることで、多様な表示を行わせることができ、飽きることなく使用者に興味持たせ続けることができる。ここで、垂直方向に移動可能としているが、正確に垂直方向だけという意味ではなく、移動に伴い垂直方向成分の移動があれば、モアレ縞の移動は生じる。
【００１０】
また、本発明に係るデザイン表示装置は必要に応じて、前記表示体及び／又は透明板が遊動可能に配設しているものである。このように本発明においては、前記表示体及び／又は透明板が遊動可能に配設しているので、表示体が縦方向、横方向又は奥行き方向に移動することができ、例えば、横方向に移動することによりモアレ縞を移動することができ、奥行き方向に移動することによりモアレ縞を明確に表したりぼやかして表したりすることができ、さらには、傾斜角度を移動可能なように表示体が移動することでモアレ縞を変化させることもでき、振動や動きが表示体に与えられている限りモアレ縞が移動・変化するので、動作状態を外部から容易に判別することができる。
【００１１】
また、本発明に係るデザイン表示装置は必要に応じて、前記表示体の縞が複数組に分かれ、それぞれの縞の組が異なる傾斜角であるものである。このように本発明においては、前記表示体の縞が複数組に分かれ、それぞれの縞の組が異なる傾斜角であるので、表示体又は透明板のどちらか一方を傾斜させて、透明板の縞と表示体の縞との傾斜角度を変更することなく、透明板に表示体の縞の組をそれぞれ重ね合わせることにより、モアレ縞を表したり、モアレ縞を変更したり、モアレ縞を消失させたりすることができ、より単純な構造で各種機器に適用することができる。
【００１２】
また、本発明に係るデザイン表示装置は必要に応じて、前記表示体の縞が複数組に分かれ、それぞれの縞の組が異なる縞間隔であるものである。このように本発明においては、前記表示体の縞が複数組に分かれ、それぞれの縞の組が異なる縞間隔であるので、表示体又は透明板のどちらか一方を傾斜させて、透明板の縞と表示体の縞との傾斜角度を変更することなく、透明板に表示体の縞の組をそれぞれ重ね合わせることにより、モアレ縞を変更することができ、より単純な構造で各種機器に適用することができる。
【００１３】
また、本発明に係るデザイン表示装置は必要に応じて、前記透明板が乳白色であるものである。このように本発明においては、前記透明板が乳白色であるので、表示されるモアレ縞のラインが不鮮明となってより美しく、優しい感じの美観を与えることができる。一般的に、透明板及び表示体を精度を高く作成することにより美観は向上するが生産コストも割り増しとなる。しかし、高精度でなくある程度の精度の透明板及び表示体を作成したとしても、透明板が乳白色であることにより精度の悪さはぼかされて表示に影響を与えなくなる。このように所定の精度で透明板及び表示体を生産してもよいという点で、生産コストの低減にも繋がるという効果も有する。乳白色するためには種々の方法を用いることができるが、例えば、片面を微小な凹凸を形成してすりガラスのようにして乳白色にすることもできるし、透明板自体を乳白色に着色してもよい。ただし、表示体がまったく見えなくなるとモアレ縞が生じない。
【００１４】
また、本発明に係るデザイン表示装置は必要に応じて、前記透明板が、表示体との対向面に凸凹を形成しているものである。このように本発明においては、前記透明板が、表示体との対向面に凸凹を形成しているので、透明板の凸凹と表示体とが直接接することとなり、全面に渡って接して表示体が移動するのと比べ、このように一部が接している状態で移動することで表示体の表面を損傷させることなく、長期間表示体の美しい縞模様を維持することができる。
【００１５】
また、本発明に係るデザイン表示装置は必要に応じて、ファンと、ファン駆動用のモータと、ヒータとを収容する筒状の本体ケースを備え、この本体ケースの外面に前記表示体、透明板が順に配置されているものである。このように本発明においては、ファンと、ファン駆動用のモータと、ヒータとを収容する筒状の本体ケースを備え、この本体ケースの外面に前記表示体、透明板が順に配置されているので、高い美観を有したまま透明板の他に保護ケースを作る必要がなく生産性が高い。
【発明を実施するための最良の形態】
【００１６】
（本発明の第１の実施形態）
本発明の第１の実施形態に係るデザイン表示装置について図１ないし４に基づいて説明する。図１は本実施形態に係るモアレ原理図、図２は本実施形態に係るドライヤー、図３は本実施形態に係るデザイン表示装置をドライヤーに適用した場合の透明板及び表示体、図４は本実施形態に係るデザイン表示装置をドライヤーへ適用した図である。
【００１７】
本実施形態に係るデザイン表示装置は、透明又は半透明で薄い形状を有し、片面に直線状の凹部１ａと直線状の凸部１ｂが交互に形成してある透明板１と、当該透明板１の内面に位置し縞状に着色された表示体２とを有し、前記透明板１の凸凹１ｃと表示体２の縞２ａとが斜めに交差した状態で配設されている構成である。
【００１８】
まず、モアレ縞の説明を行う。モアレ縞は縞と縞を重ね合わせたときに発生し、二つの縞の光透過強度に依存する。縞が垂直方向にある場合で、縞同士の傾斜角度が小さいときモアレ縞は垂直方向に長く生じ、縞同士の傾斜角度が大きいときモアレ縞は垂直方向に短く生じる。縞同士の傾斜角度が小さいときモアレ縞は垂直方向に長く生じるが、垂直方向に周期的に形成されるモアレ縞の数が少なく、一方で、縞同士の傾斜角度が大きいときモアレ縞は垂直方向に短く生じるが、垂直方向に周期的に形成されるモアレ縞の数が多い。このモアレ縞の垂直方向の長さＬは、縞間隔をＢとし、傾斜角度をθとすると、Ｌ＝Ｂ／｜sinθ｜の式から導くことができる。したがって、傾斜角度が０［度］の場合にモアレ縞は略現れず、傾斜角度が９０［度］の場合にモアレ縞は垂直方向の長さが一番短く、垂直方向に周期的に形成されるモアレ縞の数が最大となる。図１（ａ）を黒色の部分を遮蔽部分とし白色の部分を透過部分とした透明板１、図１（ｂ）を黒色と白色との縞模様に配色されている表示体２モアレ縞とし、図１（ｃ）が図１（ａ）の透明板１と図１（ｂ）の表示体２とを重ねることで生じたモアレ縞を示す。
【００１９】
前記透明板１は、図３（ａ）に示すように、片面に直線状の凹部１ａと直線状の凸部１ｂが交互に形成してあり、凹部１ａが中心部の厚さが縁よりも薄く形成され凹レンズのように対向物を小さく見せ、凸部１ｂが中心部の厚さが縁よりも厚く形成され凸部レンズのように対向物を大きく見せている。モアレ縞を生じさせるためには、透明板１にも光透過強度の異なるような構成要素を付加しなければならないが、この凹部１ａと凸部１ｂとがこの役目を果たしている。凹部１ａが内面に位置する表示体を小さく見せ、凸部１ｂが内面に位置する表示体を大きく見せることで、凹部１ａに対向する位置の表示体は略見えなくなり細い線状となり、凸部１ｂに対向する位置の表示体は大きく見え太い線状となる。すなわち、凹部１ａが光透過強度の小さい役目を果たし、凸部１ｂが光透過強度の大きい役目を果たし、透明板１に光強度の差が生じている縞が生じていることとなる。しかし、凹部１ａに対向する位置の表示体は略見えなくなるとしても完全に見えなくなることはなく細い線となって現れているところが、通常のモアレ縞と異なるところであり、より表示を美しく際立てている。
【００２０】
前記表示体２は、透明板１の内面に位置し縞状に着色されており、内面に位置していれば多少透明板１と離間していても構わない。縞状の着色は、白色のベースに一色の所定幅の直線でもよく、また、複数の色を使用してもよい。形成されている色に応じてモアレ縞が生じ、表示体を白、赤、黄色、橙の順に縞を形成すると、透明板の垂直方向に、白、赤、黄色、橙のモアレ縞が生じる。
【００２１】
透明板１及び表示体２は、どのような形状でもよく、例えば、三角形、四角形、多角形、円形、円筒等のあらゆる形状に対応可能である。但し、透明板１は内面に位置する表示体２を外側から可視できるようにしなければモアレ縞が生じないので、厚みが大きすぎてはいけない。また、透明板１と表示体２とを離間させる場合にも、離間距離が大きすぎて表示体２が外側から見えなくなってはモアレ縞は生じないので、離間距離も大きすぎてはいけない。透明板１と表示体２とは、モアレ縞を生じさせる部分で、透明板１の凸凹１ｃと表示体２の縞２ａとが表示体２が透過して見える離間距離の範囲で対向して斜めに交差しておけばよいので、同一形状でなくてもよく、例えば、透明板１が円形、表示体２が四角形でもよい。
【００２２】
次に、本実施形態に係るデザイン表示装置をドライヤーに適用した場合について説明する。説明に用いるドライヤーは、図２及び図４に示すように、後方から前方にいくに従って径が小さくなる円筒状の本体部１０と、この本体部１０の前方と前介在輪を介して接合し、吹き出される空気を一定方向に整風するノズル１１と、本体部１０の後方と後介在輪を介して接合し、空気のみを吸い込めるように設けた吸込網１２ａを有する吸込部１２と、本体部の下方に延出している下方延出部分と枢着し、使用者が操作する第１のスイッチ１３ａ及び第２のスイッチ１３ｂとを有し、使用時に使用者が手に持つ手持部１３とからなる。本体部１０は、モータ１４、このモータ１４を保護・支持するモータケース１５、モータ１４の回転により回転軸を介して吸込部１２から供給される空気を前方に送り出すファン１６と、本体部１０の前方に位置しファン１６により送り出された送風を温風に変えるために加熱するヒータ１７ａを内面に貼設したヒータ部１７と、モータケース１５と接合し、モータケース１５、ファン１６及びヒータ部１７を被包し、本体部１０の円筒状とする本体ケース１８と、本体ケース１８の外面に円筒形状に合わせて周設した表示体２と、この表示体２の縞２ａと凸凹１ｃとが斜めに交差した状態で配設された透明板１とからなる。このドライヤーに適用させた透明板１及び表示体２について図３を参照せよ。
【００２３】
このように本実施形態に係るデザイン表示装置によれば、透明又は半透明で薄い形状を有し、片面に直線状の凹部１ａと直線状の凸部１ｂが交互に形成してある透明板１と、当該透明板１の内面に位置し縞状に着色された表示体２とを有し、前記透明板１の凸凹１ｃと表示体２の縞２ａとが斜めに交差した状態で配設されているので、透明板１の凹部１ａが表示体２の縞２ａを細い線に見せ、透明板１の凸部１ｂが表示体２の縞２ａを太い線に見せ、すなわち、光透過強度の異なる縞が透明板１にも形成されていることとなり、透明板１の縞と表示体２の縞２ａからモアレ縞が表示され、使用者に単なる配色だけでは与えることができないインパクトの強い美観を与えることができ、また、透明板１が保護ケースの役目も果たし、別途透明板１の上に保護ケースを設ける必要がなく、生産性の面及び経済性の面からも好ましい。
【００２４】
なお、本実施形態に係るデザイン表示装置においては、透明板１を透明又は半透明としたが、半透明の一種である乳白色にすることもでき、表示されるモアレ縞のラインが不鮮明となってより美しく、優しい感じの美観を与えることができる。このように透明板１を乳白色とした場合に本デザイン表示装置は、与える美観から女性が使用する美容機器に適用することが好ましい。
【００２５】
（本発明の第２の実施形態）
本発明の第２の実施形態に係るデザイン表示装置について図５ないし図８に基づいて説明する。図５は本実施形態に係るデザイン表示装置、図６は本実施形態に係るデザイン表示装置の表示変移図、図７は本実施形態に係るデザイン表示装置をドライヤーへ適用した図、図８は本実施形態に係るデザイン表示装置をシェーバーへ適用した図である。
【００２６】
本実施形態に係るデザイン表示装置は、前記第１の実施形態に係るデザイン表示装置と同様に、透明又は半透明で薄い形状を有し、片面に直線状の凹部１ａと直線状の凸部１ｂが交互に形成してある透明板１と、当該透明板１の内面に位置し縞状に着色された表示体２とを有し、前記透明板１の凸凹１ｃと表示体２の縞２ａとの傾斜角が変更可能に配設されていることを異にする構成である。すなわち、第１の実施形態に係るデザイン表示装置と本実施形態に係るデザイン表示装置の相違点は、前者が前記透明板１の凸凹１ｃと表示体２の縞との傾斜角が変更できず一定であるのに対し、後者が前記透明板１の凸凹１ｃと表示体２の縞２ａとの傾斜角が変更でき可変である点にある。
【００２７】
前記第１の実施形態において説明した通り、モアレ縞の垂直方向の長さＬは、縞間隔をＢとし、傾斜角度をθとすると、Ｌ＝Ｂ／｜sinθ｜の式から導くことができる。すなわち、傾斜角度を変化させると、モアレ縞自体の垂直方向の長さＬが変更され、傾斜角度を大きくすると、モアレ縞の垂直方向の長さＬは小さくなり、垂直方向に周期的に形成されるモアレ縞の数が多くなる。逆に、傾斜角度を小さくすると、モアレ縞の垂直方向の長さＬは大きくなり、垂直方向に周期的に形成されるモアレ縞の数が少なくなる。ここで、傾斜角度は、小さくすればどこまでもモアレ縞の垂直方向の長さＬが大きくなるということではなく、｜sinθ｜の周期に合わせて大きくなったり、小さくなったりする。したがって、１８０［度］が一周期となる。通常、sinθの周期は３６０［度］であるが、絶対値記号があるため１８０［度］となっている。
【００２８】
よって、次のようなデザイン表示装置を作成することができる。図５（ａ）に示す円形の透明板１と、図５（ｂ）に示す円形の表示体２とを用意し、透明板１の中心と表示体２の中心とを枢着する。表示体２の円周の縁の一部に円形から延出した接合部２ｂが形成され、この接合部２ｂに上下に移動可能な昇降棒２ｃが接合部２ｂに枢着されている。透明板１の凸凹１ｃと表示体２の縞２ａとの傾斜角度が０のとき図６（ａ）に示すように、モアレ縞は表れていない。次に、昇降棒２ｃを上方向に押し上げると、それに応じて接合部２ｂが上方向に移動し、表示体２が透明板１と枢着した部分を中心にして回転し、透明板１の凸凹１ｃと表示体２の縞２ａとの傾斜角度が例えば１０［度］となって、モアレ縞が生じる（図６（ｂ）参照）。さらに、昇降棒２ｃを上方向に押し上げると、それに応じて接合部２ｂが上方向に移動し、表示体２が透明板１と枢着した部分を中心にして回転し、透明板１の凸凹１ｃと表示体２の縞２ａとの傾斜角度が例えば２０［度］となって、前記１０［度］のときと比べるとモアレ縞の垂直方向の長さＬが小さく、垂直方向に周期的に形成されるモアレ縞の数が多く生じる（図６（ｃ）参照）。なお、図５（ｃ）に示すように、表示体２を四角形にしたとしても同様に、モアレ縞が生じる。
【００２９】
次に、本実施形態に係るデザイン表示装置をドライヤーに適用した場合について説明する。説明に用いるドライヤーは、前記第１の実施形態で説明したドライヤーと同一のものを使用する。ここで、本実施形態に係るデザイン表示装置をドライヤーに適用させた場合について説明するために、ドライヤーの手持部１３について詳細に説明する。手持部１３は第１のスイッチ１３ａ及び第２のスイッチ１３ｂを有し、第１のスイッチ１３ａがヒータ１７ａの強さが大きい「ＴＵＲＢＯＤＲＹ」、ヒータ１７ａの強さが小さい「ＨＡＩＲＣＡＲＥ」、ヒータ１７ａの強さが普通である「ＨＡＩＲＳＥＴ」及び動作を停止する「ＯＦＦ」のモードに切り換えでき、第２のスイッチがヒータ１７ａをＯＦＦにする「ＣＯＯＬ」及びヒータ１７ａをＯＮにする「ＨＯＴ」のモードに切り換えできる。第１のスイッチ１３ａ、第２のスイッチ１３ｂ、モータ１４、電源部（図示しない）及びヒータ１７ａで回路を構成している。第１のスイッチ１３ａ及び第２のスイッチ１３ｂは文字通りスイッチの役目を果たす。第２のスイッチ１３ｂはヒータ１７ａとリード線（図示しない）で接続し、「ＣＯＯＬ」のモードのときスイッチが開放状態となってヒータ１７ａに電流が流れない状態となり、「ＨＯＴ」のモードのときスイッチが投入状態となってヒータ１７ａに電流が流れる状態となる。しかし、第２のスイッチ１３ｂはを切り換えただけで、電流は流れず、第１のスイッチ１３ａの切り換えが必要となる。第１のスイッチ１３ａはモータ１４及びヒータ１７ａとリード線で接続し、「ＯＦＦ」のモード以外でスイッチが投入されモータ１４が動作すると共に、第２のスイッチ１３ｂが「ＨＯＴ」のモードのとき、ヒータ１７ａにも電流を供給しヒータ１７ａが熱くなり、熱風を生成する。第１のスイッチ１３ａの切り換えにより、ヒータ部１７に供給される電力が調整され、「ＴＵＲＢＯＤＲＹ」、「ＨＡＩＲＳＥＴ」、「ＨＡＩＲＣＡＲＥ」の順に電力の消費量が大きい。
【００３０】
このドライヤーは、このように多種なモードが用意されている。このドライヤーに、本実施形態に係るデザイン表示装置を適用すると、図７に示すようになる。図７は本体部１０及び手持部１３を一部断面図とし、手持部１３の断面図となるため本来なら表れないが説明のため透明板１及び表示体２を表している。透明板１及び表示体２は手持部１３の上方部分に配設され、透明板１及び表示体２の中心が手持部１３に軸止されている。表示体２の昇降棒２ｃの後端が間接棒２ｄと枢着されている。但し、この枢着部分での回動には所定量の力を加える必要がある。したがって、所定量未満の力を加えても回動せず、昇降棒２ｃを介して接合部２ｂに力が加わることとなる。第２のスイッチ１３ｂには固定棒２ｄの一端が接合され、固定棒２ｄの他端は表示体２の枢軸と接合し、第２のスイッチ１３ｂの切り換えにより表示体２が初期位置まで戻って回動しないようにしている。よって、第２のスイッチ１３ｂの切り換えによっては、第１のスイッチ１３ａを切り換えても表示体２が傾斜しないことがある。
【００３１】
使用者の使用動作を説明すると以下の通りである。使用者は、第２のスイッチ１３ｂを「ＣＯＯＬ」にしたまま、第１のスイッチ１３ａを切り換えて「ＯＦＦ」以外にする。第１のスイッチ１３ａが投入されることにより、モータ１４に電流が供給され駆動し、ファン１６が回転し、吸込部１２から空気の供給を受けながら、前方方向に送風する。第２のスイッチ１３ｂが「ＣＯＯＬ」であるため、ヒータ１７ａには電流が供給されず熱くならない。また、第２のスイッチ１３ｂが「ＣＯＯＬ」であるため、固定棒２ｄにより表示体２が透明板１との傾斜角度がない状態となって回動しない。よって、第１のスイッチ１３ａを切り換えても、間接棒２ｅに所定量の力が加わり、昇降棒２ｃと間接棒２ｅとの枢着部分が回動する。所定量の力が加わっているのは、第１のスイッチ１３ａを切り換えていることから明らかである。したがって、この場合には、表示体２が傾斜することなく、モアレ縞は生じない。
【００３２】
次に、使用者は、第２のスイッチを「ＨＯＴ」に切り換え、第１のスイッチを切り換えて「ＯＦＦ」以外にする。第１のスイッチ１３ａを切り換えて「ＯＦＦ」以外にする。第１のスイッチ１３ａが投入されることにより、モータ１４に電流が供給され駆動し、ファン１６が回転し、吸込部１２から空気の供給を受けながら、前方方向に送風する。第２のスイッチ１３ｂが「ＨＯＴ」であり、ヒータ１７ａには電流が供給され熱くなる。また、第２のスイッチ１３ｂが「ＨＯＴ」であるため、固定棒２ｄは作用せず表示体２が透明板１との傾斜角度が変更可能な状態となって回動する。よって、第１のスイッチ１３ａを切り換えることで、表示体２が回動可能となっており、昇降棒２ｃが自由に昇降でき間接棒２ｅに所定量の力が加わることなく、昇降棒２ｃと間接棒２ｅとの枢着部分が回動しない。「ＨＡＩＲＣＡＲＥ」、「ＨＡＩＲＳＥＴ」、「ＴＵＲＢＯＤＲＹ」の順に透明板１と表示体２との傾斜角度が大きくなるようにする。ここで、図７において、透明板１及び表示体２は、手持部１３の一部にあり大きさが小さいが、図４のような大きな透明板１にしても傾斜のための構造を組み入れればモアレ縞を変化させることができ、特に、図４のように本体部１０を覆うような大きな透明板１及び表示体２であれば、状態表示が極めて分かり易くなる。
【００３３】
以上ドライヤーに本デザイン表示装置を適用した場合について説明したが、同様にシェーバーにも適用することができ、図８に示すようになる。シャーバーにも同様にスイッチがあり、このスイッチは上下に移動することができ、スイッチが上にあるとき動作し、スイッチが下にあるとき動作しない。このスイッチと表示体２の昇降棒２ｃとを接続し、スイッチの上下の移動に合わせて、表示体２が回動するようにした。スイッチが下にあるとき透明板１の縞と表示体２の縞との傾斜角度を０［度］とし、スイッチが上にあるとき透明板１の縞と表示体２の縞との傾斜角度を１０［度］とする。すなわち、使用者がシェーバーを使用する前にあっては、スイッチが下にあるため透明板１の縞と表示体２の縞との傾斜角度が０［度］であり、モアレ縞は生じない。一方、使用者がシェーバーを使用使用として、スイッチを上に移動させると、透明板１の縞と表示体２の縞との傾斜角度が１０［度］となり、モアレ縞が生じる。
【００３４】
このように本実施形態に係るデザイン表示装置によれば、透明又は半透明で薄い形状を有し、片面に直線状の凹部１ａと直線状の凸部１ｂが交互に形成してある透明板１と、当該透明板１の内面に位置し縞状に着色された表示体２とを有し、前記透明板１の凸凹１ｃと表示体２の縞２ａとの傾斜角が変更可能に配設されているので、初期状態にあっては透明板１の縞と表示体２の縞２ａとを傾斜させず、傾斜させないことによりモアレ縞が表れず、使用者の操作や機器の動作状態の変化等に連動させて、初期状態にあっては透明板１の縞と表示体２の縞２ａとを傾斜させることで、傾斜させることによりモアレ縞が表れ、使用者に対して強いインパクトの美観を与えると共に、使用者が一目見ただけで機器の動作状態を判別することができ利便性がよく、また、即座に判別可能ということは危険回避が迅速にできるという面で安全性に優れている。また、小型機器のスイッチに隣接して、スイッチの切り換えによりどのような動作モードとなるのかを示す表示が付されているが、このような小型機器の場合小さいため、表示も小さくならざる負えないが、本デザイン表示装置によれば、老若男女問わず視覚的に一瞬で判別することができる。また、透明板１の凸凹が内面に形成されると、透明板１の凸凹と表示体２とが直接接することとなり、全面に渡って接して表示体２が移動するのと比べ、このように一部が接している状態で移動することで表示体２の表面を損傷させることなく、長期間表示体の美しい縞模様を維持することができる。
【００３５】
（本発明の第３の実施形態）
本発明の第３の実施形態に係るデザイン表示装置について図９又は図１０に基づき説明する。図９は本実施形態に係るデザイン表示装置の表示体及び透明板、図１０は本実施形態に係るデザイン表示装置をヘアーブロッサーへ適用した図である。
【００３６】
本実施形態に係るデザイン表示装置は、前記第１の実施形態に係るデザイン表示装置と同様に、透明又は半透明で薄い形状を有し、片面に直線状の凹部１ａと直線状の凸部１ｂが交互に形成してある透明板１と、当該透明板１の内面に位置し縞状に着色された表示体２とを有し、前記表示体の縞が複数組に分かれ、それぞれの縞の組が異なる傾斜角であることを異にする構成である。
【００３７】
図９（ａ）に示すように、表示体２は、３つの縞の組からなる。左端の縞の組は縞が垂直方向に形成され、中央の縞の組は縞が垂直方向から１０［度］傾斜して形成され、右端の縞の組は縞が垂直方向から２０［度］傾斜して形成されている。このような表示体２に図９（ｂ）に示すような透明板１を重ね合わせると、図９（ｃ）のように、表示体２の左端の縞の組に対応する部分にはモアレ縞は生じず、表示体２の中央の縞の組に対応する部分にはモアレ縞が生じ、表示体２の右端の縞の組に対応する部分には中央の縞の組に対応する部分に生じたモアレ縞と比べ垂直方向の長さＬが小さいモアレ縞が生じる。
【００３８】
この本実施形態に係るデザイン表示装置をヘアーブロッサーに適用した図が、図１０となる。このヘアーブロッサーのスイッチの両端に２対１組の前後棒の一端を接合し、前後棒２ｆの他端を表示体２に接合する。このような単純な構成により、スイッチを切り換えることで、透明板１に表示体２の縞の組が表れ、モアレ縞がなかったり、モアレ縞が表れたり、モアレ縞が変化したりする。すなわち、表示体２がヘアーブロッサーの内部に格納されており、透明板１と重ね合った部分だけが表示されるという構造である。
【００３９】
このように本実施形態に係るデザイン表示装置によれば、透明又は半透明で薄い形状を有し、片面に直線状の凹部１ａと直線状の凸部１ｂが交互に形成してある透明板１と、当該透明板１の内面に位置し縞状に着色された表示体２とを有し、前記表示体２の縞が複数組に分かれ、それぞれの縞の組が異なる傾斜角であるので、表示体２又は透明板１のどちらか一方を傾斜させて、透明板１の縞と表示体２の縞との傾斜角度を変更することなく、透明板１に表示体２の縞の組をそれぞれ重ね合わせることにより、モアレ縞を表したり、モアレ縞を変更したり、モアレ縞を消失させたりすることができ、より単純な構造で各種機器に適用することができる。
【００４０】
（本発明の第４の実施形態）
本発明の第４の実施形態に係るデザイン表示装置について図１１に基づき説明する。図１１は本実施形態に係るデザイン表示装置の表示体及び透明板である。
本実施形態に係るデザイン表示装置は、前記第１の実施形態に係るデザイン表示装置と同様に、透明又は半透明で薄い形状を有し、片面に直線状の凹部１ａと直線状の凸部１ｂが交互に形成してある透明板１と、当該透明板１の内面に位置し縞状に着色された表示体２とを有し、前記表示体の縞が複数組に分かれ、それぞれの縞の組が異なる縞間隔であることを異にする構成である。
【００４１】
図１１（ａ）に示すように、表示体２は、３つの縞の組からなる。全ての縞の組の縞が垂直方向に形成され、左端の縞の組は縞間隔が一番小さく、中央の縞の組は縞間隔が左端の縞の組の縞間隔より大きく、右端の縞の組は縞間隔が中央の縞の組の縞間隔より大きく形成されている。このような表示体２に図９（ｂ）に示すような凸凹１ｃが斜めに形成されている透明板１を重ね合わせると、図９（ｃ）のように、全ての表示体の縞の組でモアレ縞は生じる。表示体２の左端の縞の組に対応する部分のモアレ縞はモアレ縞の垂直方向の長さが一番小さく、表示体２の中央の縞の組に対応する部分のモアレ縞はモアレ縞の垂直方向の長さが左端の縞の組のモアレ縞の垂直方向の長さより長く、表示体２の右端の縞の組に対応する部分のモアレ縞はモアレ縞の垂直方向の長さが中央の縞の組のモアレ縞の垂直方向の長さより長く生じる。
【００４２】
本実施形態に係るデザイン表示装置は、前記第３の実施形態で説明した通り、同様の構造でヘアーブロッサーに適用することができる。
このように本実施形態に係るデザイン表示装置によれば、透明又は半透明で薄い形状を有し、片面に直線状の凹部１ａと直線状の凸部１ｂが交互に形成してある透明板１と、当該透明板１の内面に位置し縞状に着色された表示体２とを有し、前記表示体の縞が複数組に分かれ、それぞれの縞の組が異なる縞間隔であるので、表示体２又は透明板１のどちらか一方を傾斜させて、透明板１の縞と表示体２の縞との傾斜角度を変更することなく、透明板１に表示体２の縞の組をそれぞれ重ね合わせることにより、モアレ縞を変更することができ、より単純な構造で各種機器に適用することができる。
【００４３】
（本発明の第５の実施形態）
本発明の第５の実施形態に係るデザイン表示装置について図１２に基づいて説明する。図１２は本実施形態に係るデザイン表示装置の表示体である。
本実施形態に係るデザイン表示装置は、前記第２の実施形態に係るデザイン表示装置と同様に構成され、前記表示体２が遊動可能に配設していることを異にする構成である。
【００４４】
前記第２の実施形態においては、スイッチ等を使用者が操作することによりその操作に連動して透明板１の凸凹１ａｂと表示体２の縞２ａとの傾斜角が変更され、モアレ縞が変化することができた。すなわち、この場合モアレ縞が変化するのは使用者が操作している間だけである。よって、機器が動作している間中継続的にモアレ縞を変化させることはできない。本実施形態に係るデザイン表示装置は、機器が動作している間中継続的にモアレ縞を変化・移動させることができるものである。
【００４５】
前記表示体２が遊動可能に配設しているとは、表示体２を固着させて動けないようにするのではなく、表示体２が移動可能なようにすることである。移動方向は、特に、制限はなく、透明板１の凸凹１ａｂと表示体２の縞２ａとの傾斜角が変更されるように配設されればモアレ縞が変化し、透明板１の凸凹１ａｂと表示体２の縞２ａとの間に相対的な移動が生じればモアレ縞が変化し、透明板１と表示体２との間隙距離が変更されるように配設されればモアレ縞が明確に表れたりぼやけて表れたりする。すなわち、表示上の変化が伴うように配設されることが肝要である。
【００４６】
具体的には、図１２（ａ）に示すように表示体２が横方向に移動可能なように表示体２より横幅の大きい収納ケース２１内に表示体２を配設し、横方向の動きに合わせて表示体２が移動しモアレ縞を移動することができる。往復式シェーバーの場合には横方向に振動しこの図１２（ａ）に示す表示体２を適用したデザイン表示装置が好適である。同様にして、縦方向に移動可能なように表示体２より縦幅の大きい収納ケース２１内に表示体２を配設することもでき、さらには、奥行きを持たせた収納ケース２１に表示体２を配設することでモアレ縞を明確に表示させたりぼやかせたりすることもできる。
【００４７】
次に、図１２（ｂ）（ｃ）に示すように表示体２の裏面に球通路２２を曲折させて設け、その中にかかる球通路２２を移動可能な金属球２３を遊挿し、表示体２自体は中心を枢着した構成によれば、金属球２３が球通路２２の左側にいけば表示体２が逆回転し、金属球２３が球通路２２の右側にいけば表示体２が正回転し、透明板１の凸凹１ａｂと表示体２の縞２ａとの傾斜角を変更することができ、モアレ縞を変化させることができる。さらには、スイッチがＯＮとなっているとき金属球２２を自由にし、スイッチがＯＦＦとなっているとき金属球２２を固定することで、スイッチがＯＦＦ時金属球２２が動かず使用者が持ち運んだりしてもモアレ縞が変化せずに、動作時とを明確に区別することができる。
【００４８】
このように本実施形態に係るデザイン表示装置によれば、前記表示体２が遊動可能に配設しているので、表示体２が縦方向、横方向又は奥行き方向に移動することができ、例えば、横方向に移動することによりモアレ縞を移動することができ、奥行き方向に移動することによりモアレ縞を明確に表したりぼやかして表したりすることができ、さらには、傾斜角度を移動可能なように表示体が移動することでモアレ縞を変化させることもでき、振動や動きが表示体２に与えられている限りモアレ縞が移動・変化するので、動作状態を外部から容易に判別することができる。
【００４９】
なお、本実施形態に係るデザイン表示装置においては、振動により遊動可能な表示体が移動してモアレ縞を変化・移動させた例を示したが、受ける力としてはどのようなものであってもよく、ドライヤーのファン１６により生じる風を受風板で受けて表示体２を移動させてもよいし、本体ケース１８に格子状にして直接風を表示体が受けて移動させてもよい。さらには、形状記憶合金を介して熱により表示体２を移動させてよい。もちろん、意図的なしくみを構成しなくても表示体が遊動可能であれば、持ち運び時等の自然な振動に対しても表示がおもむろに変化し、変化に富んだデザイン表示装置となる。
【００５０】
（本発明の第６の実施形態）
本発明の第６の実施形態に係るデザイン表示装置について説明する。
本実施形態に係るデザイン表示装置は、図４の示したデザイン表示装置と同様に構成され同一のドライヤーに適用されたものであり、表示体２が熱により色が変化するサーモラベルのような部材からなり常温で青であって所定温度以上になると赤になり、表示体２と本体ケース１８との間に熱により一部が膨張する金属板を挿入し、透明板１と表示体２との間に所定間隙を設けている構成である。
【００５１】
透明板１の凸凹１ａｂと表示体２の縞とが斜めに交差した状態で配設されているにも拘らず、透明板１と表示板２との間には所定間隙があるため、モアレ縞が表示されず、表示体２の大まかな色が透明板１を通して見ることができる状態である。
【００５２】
金属板は表示体２と本体ケース１８と間に介挿されており、本体ケース１８の内部にヒータ部１７があり、ヒータ部１７のヒータ１７ａがＯＮとなったら本体ケース１８がまず加熱され、次に、この金属板が加熱される。加熱された金属板は一部が膨張し、透明板１と表示板２との間に形成されている所定間隙が部分的になくなったり小さくなったりする。
【００５３】
このドライヤーは、使用前においては、ヒータ１７ａの熱もなく介挿されている金属板も膨張せず、表示体２も常温であり青のままである。次に、ドライヤーを使用すべく、第１のスイッチ１３ａを操作してヒータ１７ａを使わずファン１６だけを回すと、使用前の状態と同様に、ヒータ１７ａの熱もなく介挿されている金属板も膨張せず、表示体２も常温であり青のままである。次に、第２のスイッチ１３ｂを操作してヒータ１７ａをＯＮにしてファン１６を回すと、使用前の状態及びファン１６だけの使用の状態と異なり、まず、ヒータ１７ａにより本体ケース１８が加熱され、続けて、金属板が加熱されて金属板の一部が膨張する。金属板が膨張することにより、透明板１と表示板２との間に形成されている所定間隙が部分的になくなったり小さくなったりして、部分的にモアレ縞が表示される。それと伴って、表示体２の色が青から赤になる。
【００５４】
このように本実施形態に係るデザイン表示装置によれば、表示体２が熱により色が変化する部材からなり常温で青であって所定温度以上になると赤になり、表示体２と本体ケース１８との間に熱により一部が膨張する金属板を挿入し、透明板１と表示体２との間に所定間隙を設けているので、ヒータ１７ａがＯＮとなって加熱されることにより表示体２の色が青から赤となって加熱中であることを使用者に知らせると共に、同時に、金属板が部分的に膨張して透明板１と表示体２との間隙が変化して当初所定間隙を保ちモアレ縞が生じていない状態から部分的にモアレ縞が表示されるようになり使用者に強いインパクトと興味を引き出すことができる。特に、金属板の熱膨張係数を部分的に変えて、最終的に透明板１と表示体２との間隙がなくなってしまうことにより、全体でモアレ縞が形成されるようにすることもできる。
【００５５】
なお、以上の実施例においては熱による変形を効果的にするために金属板を本体ケース１８と表示体２の間に挿入した構成としているが、金属板が無くても熱により本体ケース１８は膨張するため、表示体２と透明板１の間隙は微妙に変化する。
【００５６】
また、上記熱による変形は表示体２と透明板１の間隙の変化だけでなく、相対的な位置関係の変化も生じさせることになる。この位置関係の変化は非常に微少ではあるがモアレの特性を生かすことで視覚的に認識可能なレベルとなる。よって上述のサーモラベルのような部材を必ず用いなければならないわけでなく、この構成のみで本体機器の駆動が視覚的に認識出来る構成となり都合がよい。
更に又、上記サーモラベルは熱により色が変化するものとしたが熱により表示体の線の角度や太さが変化するようにしてもよい。
【００５７】
（その他の実施形態）
前記各実施形態に係るデザイン表示装置においては、実施形態によっては表示体２を動かすものはあるものの、表示体２の色彩を変更するものが提示されていない。色彩を変更する方法としては、ドライヤーやヘアブロッサーの場合にはヒータがあるため、熱により色が変化する部材により表示体２を成形することで、実現することができる。また、熱がない場合であっても、表示体２を縞模様の下地と、遮蔽部分と透過部分を有するマスク体とから構成し、マスク体の移動により遮蔽部分と透過部分の位置がかわり、透過部分を通して見えていた下地の部分が変更されることで色彩の変更をすることができる。このように表示体２の色彩が変更することにより、例えば、このような表示体２を用いたデザイン表示装置をドライヤーに適用した場合、温風を送風している場合には赤のモアレ縞が表示され、冷風を送風している場合には青のモアレ縞が表示されるといったこともでき、色とモアレ縞の両方により機器の動作状態を示すことができ、より使用者にとってわかりやすい表示にすることができる。さらに具体的には、図７の構成のドライヤーにさらに、第２のスイッチ１３ｂに連動してこのマスク体が移動して遮蔽部分と透過部分の位置がかわるようにすることで、第１のスイッチ１３ａ及び第２のスイッチ１３ｂの操作によりモアレ縞が変わるだけでなく、第２のスイッチの操作によりマスク体が移動して色がかわり、温風を送風している場合には赤のモアレ縞が表示され、冷風を送風している場合には青のモアレ縞が表示されるようになる。
【００５８】
また、前記各実施形態に係るデザイン表示装置においては、実施形態によっては表示体２を動かすものはあるものの、透明板１の縞と表示体２の縞との傾斜角度を変更するための移動であり、この移動により生じるモアレ縞の形状を変化させ、表し、消失させたりすることができるものである。このような傾斜角度を変更するための移動ではなくて傾斜角度を維持したまま、表示体２の縞又は透明板１の縞の直線方向でない方向に移動させると、モアレ縞の形状を維持したままモアレ縞が表示体２の縞又は透明板１の縞の直線方向に移動をする。正確にいうと縞間隔分移動させると、モアレ縞がモアレ縞の垂直方向の長さ分だけ移動する。このように傾斜角度を維持したまま表示体２の縞又は透明板１の縞の直線方向でない方向に移動させるとモアレ縞が移動するので、この特性を利用したデザイン表示変更装置を形成することもできる。
【００５９】
また、前記各実施形態に係るデザイン表示装置においては、具体的に、ドライヤー、シェーバー、ヘアーブロッサーを用いて説明したが、これらの機器にデザイン表示装置を適用する場合に、一面だけでなく両面にデザイン表示装置を設けることが好ましい。その理由として、利用者がこれらの機器を使用する場合に、必ず、その面が使用者に向いているわけではないからである。利き腕によって、使用者に向いている面が変ったりすることも理由の一つである。さらに、鏡を利用している場合には、視点移動のみによってデザイン表示装置を目にすることができ、利用者の利便性が特に向上する。
【００６０】
また、前記各実施形態に係るデザイン表示装置においては、ドライヤー、シェーバー、ヘアーブロッサーへの適用の例を説明し、これらは全てスイッチの切り換え動作に連動してモアレ縞を表出、消失、変更する構造を設けたが、スイッチの切り換え動作だけでなく、他の操作体を使用者が操作することに連動させてもよく、また、使用者に限らず、機器の制御部からの命令に応じさせてよく、さらに、機器の状態に応じさせてよい。
【図面の簡単な説明】
【００６１】
【図１】本発明の第１の実施形態に係るモアレ原理図である。
【図２】本発明の第１の実施形態に係るドライヤーである。
【図３】本発明の第１の実施形態に係るデザイン表示装置をドライヤーに適用した場合の透明板及び表示体である。
【図４】本発明の第１の実施形態に係るデザイン表示装置をドライヤーへ適用した図である。
【図５】本発明の第２の実施形態に係るデザイン表示装置である。
【図６】本発明の第２の実施形態に係るデザイン表示装置の表示変移図である。
【図７】本発明の第２の実施形態に係るデザイン表示装置をドライヤーへ適用した図である。
【図８】本発明の第２の実施形態に係るデザイン表示装置をシェーバーへ適用した図である。
【図９】本発明の第３の実施形態に係るデザイン表示装置の表示体及び透明板である。
【図１０】本発明の第３の実施形態に係るデザイン表示装置をヘアーブロッサーへ適用した図である。
【図１１】本発明の第４の実施形態に係るデザイン表示装置の表示体及び透明板である。
【図１２】本発明の第５の実施形態に係るデザイン表示装置の表示体である。
【図１３】背景技術に係るデザイン表示装置である。
【図１４】背景技術に係るデザイン表示装置である。
【符号の説明】
【００６２】
１  透明板
１ａ  凹部
１ｂ  凸部
１ａｂ  凹凸
２  表示体
２ａ  縞
２ｂ  接合部
２ｃ  昇降棒
２ｄ  固定棒
２ｅ  間接棒
２ｆ  前後棒
１０  本体部
１１  ノズル
１２  吸込部
１２ａ  吸込網
１３  手持部
１３ａ  第１のスイッチ
１３ｂ  第２のスイッチ
１４  モータ
１５  モータケース
１６  ファン
１７  ヒータ部
１７ａ  ヒータ
１８  本体ケース
１９  前介在輪
２０  後介在輪
２１  収納ケース
２２  球通路
２３  金属球
１０２  マスク体
１０３  表示体
１０４  透視可能部
１０５  隠蔽部
１０６  ケース
【図１】
2005091887.tif 000003
【図２】
2005091887.tif 000004
【図３】
2005091887.tif 000005
【図４】
2005091887.tif 000006
【図５】
2005091887.tif 000007
【図６】
2005091887.tif 000008
【図７】
2005091887.tif 000009
【図８】
2005091887.tif 000010
【図９】
2005091887.tif 000011
【図１０】
2005091887.tif 000012
【図１１】
2005091887.tif 000013
【図１２】
2005091887.tif 000014
【図１３】
2005091887.tif 000015
【図１４】
2005091887.tif 000016